(57)【要約】【課題】軽微な異物噛みや一時的な固着といった軽微な異常を自動的に復旧させることができる空気調和機を提供する。【解決手段】圧縮機１、四方弁２、室外熱交換器３、第一室内熱交換器５ａ、第二室内熱交換器５ｂを環状に接続して冷凍サイクルを構成し、前記第一室内熱交換器５ａと前記第二室内熱交換器５ｂの間に、少なくとも開閉弁６ａ及び減圧器６ｂを含む除湿用減圧器６を具備し、除湿運転時に前記開閉弁５ａを閉じて前記除湿用減圧器６を減圧器として作用させると共に、運転中に、前記除湿用減圧器６の異常を検知した時に、自動的に逆向きの冷凍サイクル運転を行うもので、開閉弁６ａや減圧器６ｂへの軽微な異物噛み、オイルによる開閉弁６ａの一時的な固着といった軽微な異常を自動的に復旧させることができる。【選択図】図１
2008196726.tif 000002
【特許請求の範囲】
【請求項１】
圧縮機、四方弁、室外熱交換器、第一室内熱交換器、第二室内熱交換器を環状に接続して冷凍サイクルを構成し、前記第一室内熱交換器と前記第二室内熱交換器の間に、少なくとも開閉弁及び減圧器を含む除湿用減圧器を具備し、除湿運転時に前記開閉弁を閉じて前記除湿用減圧器を減圧器として作用させると共に、運転中に、前記除湿用減圧器の異常を検知した時に、自動的に逆向きの冷凍サイクル運転を行うことを特徴とする空気調和機。
【発明の詳細な説明】
【技術分野】
【０００１】
本発明は、空気調和機に関するもので、特に、除湿用減圧器の異常検知動作の改良に関するものである。
【背景技術】
【０００２】
従来の空気調和機においては、除湿用減圧器の異常を検知した時は、一旦圧縮機を停止した後、再度圧縮機の運転を行い、本当に異常かどうか再度判定している。そして異常の検知回数が所定回数以上になると、除湿用減圧器の異常と判断して、全ての運転を完全に停止するようにしていた（例えば、特許文献１参照）。
【特許文献１】特開２００２−１０６９７９号公報
【発明の開示】
【発明が解決しようとする課題】
【０００３】
除湿用減圧器の異常に関しては、開閉弁の動作不良や除湿用減圧器の流量不足が要因に挙げられる。これらの原因として、開閉弁自体の故障、除湿用減圧器の詰まり、冷凍サイクル内の異物噛み、オイルによる開閉弁の一時的な固着等が挙げられる。この中で軽微な異物噛みや一時的な固着といった軽微な原因に関しては、除湿用減圧器に逆向きの冷媒流れを起こせば復旧可能な場合が多かった。
【０００４】
しかしながら、上記従来の空気調和機においては、一旦圧縮機を停止するものの、再度同じ向きに冷媒を流すため異常を復旧させるまでには至らなかった。そのため、軽微な異常でも空気調和機が使えなくなってしまい、部品交換や商品交換に至るという課題があった。
【０００５】
本発明は、上記従来の課題を解決するもので、除湿用減圧器の軽微な異常を自動的に復旧させて、信頼性の高い空気調和機を提供することを目的としている。
【課題を解決するための手段】
【０００６】
前記従来の課題を解決するために、本発明の空気調和機は、圧縮機、四方弁、室外熱交換器、第一室内熱交換器、第二室内熱交換器を環状に接続して冷凍サイクルを構成し、前記第一室内熱交換器と前記第二室内熱交換器の間に、少なくとも開閉弁及び減圧器を含む除湿用減圧器を具備し、除湿運転時に前記開閉弁を閉じて前記除湿用減圧器を減圧器として作用させると共に、運転中に、前記除湿用減圧器の異常を検知した時に、自動的に逆向きの冷凍サイクル運転を行うもので、開閉弁や減圧器への軽微な異物噛み、オイルによる開閉弁の一時的な固着といった軽微な異常を自動的に復旧させることができる。
【発明の効果】
【０００７】
本発明の空気調和機は、軽微な異物噛みや一時的な固着といった軽微な異常を自動的に復旧させることができるため、不要な部品交換や商品交換をすることなく空気調和機の信頼性を高めることができる。
【発明を実施するための最良の形態】
【０００８】
第１の発明は、圧縮機、四方弁、室外熱交換器、第一室内熱交換器、第二室内熱交換器を環状に接続して冷凍サイクルを構成し、前記第一室内熱交換器と前記第二室内熱交換器の間に、少なくとも開閉弁及び減圧器を含む除湿用減圧器を具備し、除湿運転時に前記開閉弁を閉じて前記除湿用減圧器を減圧器として作用させると共に、運転中に、前記除湿用減圧器の異常を検知した時に、自動的に逆向きの冷凍サイクル運転を行うもので、開閉弁
や減圧器への軽微な異物噛み、オイルによる開閉弁の一時的な固着といった軽微な異常を自動的に復旧させることができる。
【０００９】
以下、本発明の実施の形態について、図面を参照しながら説明する。なお、本実施の形態によって本発明が限定されるものではない。
【００１０】
（実施の形態１）
図１は、本発明の実施の形態１における空気調和機の冷凍サイクル図、図２は、同空気調和機の四方弁と開閉弁の切り換えを示す説明図、図３は、同開閉弁の第一の異物噛み状態の一例を示す図、図４は、同開閉弁の固着状態の一例を示す図、図５は、同開閉弁の第二の異物噛み状態の一例を示す図、図６は、同空気調和機の運転制御の内容を示すフローチャートである。
【００１１】
図１において、本実施の形態における空気調和機の室内側の熱交換器は、第一室内熱交換器５ａと、第二室内熱交換器５ｂの二つに分割され、圧縮機１と、四方弁２と、室外熱交換器３と、第一室内熱交換器５ａと、第二室内熱交換器５ｂとを環状に接続して冷凍サイクルを構成し、第一室内熱交換器５ａと第二室内熱交換器５ｂの間には、開閉弁６ａと減圧器６ｂを含む除湿用減圧器６が挿入されている。また、各運転モード毎の四方弁２と開閉弁６ａの切り換え方法を図２に示す。
【００１２】
冷房運転時、冷媒は、圧縮機１を吐出された後、四方弁２を通過して室外熱交換器３で凝縮し、膨張弁４で減圧され、第一室内熱交換器５ａで蒸発した後、開閉弁６ａと減圧器６ｂを含む除湿用減圧器６を通過し、第二室内熱交換器５ｂで蒸発し、四方弁２を通過して圧縮機１に戻る構成となっている。ここでは、開閉弁６ａが開いているので、ほとんどの冷媒は、減圧器６ｂを流れずに開閉弁６ａを流れることとなる。
【００１３】
一方、暖房運転時には、圧縮機１を吐出された冷媒は、四方弁２を通過して第二室内熱交換器５ｂで凝縮し、開閉弁６ａと減圧器６ｂを含む除湿用減圧器６を通過し、第一室内熱交換器５ａで凝縮した後、膨張弁４で減圧され、室外熱交換器３で蒸発し、四方弁２を通過して圧縮機１に戻る構成となっている。ここでも、開閉弁６ａが開いているので、ほとんどの冷媒は、減圧器６ｂを流れずに開閉弁６ａを流れることとなる。
【００１４】
他方、除湿運転時の冷媒の流れは次のようになっている。すなわち、冷媒は、圧縮機１を吐出された後、四方弁２を通過して室外熱交換器３で凝縮し、膨張弁４を通過し、第一室内熱交換器５ａでも凝縮し、開閉弁６ａと減圧器６ｂを含む除湿用減圧器６で減圧し、第二室内熱交換器５ｂで蒸発し、四方弁２を通過して圧縮機１に戻る構成となっている。ここでは、開閉弁６ａを閉じるので、すべての冷媒は減圧器６ｂを流れ、ここで減圧されることとなる。
【００１５】
また、第一室内熱交換器５ａと第二室内熱交換器５ｂのそれぞれに温度センサ１１ａ、１１ｂがとりつけられ、第一室内熱交換器５ａの温度Ｔ１と、第二室内熱交換器５ｂの温度Ｔ２がそれぞれ検知できるようになっている（詳細説明は省略）。
【００１６】
以上のように構成された本実施の形態における空気調和機の動作、作用を説明する。
【００１７】
まず図３は、開閉弁６ａ内に異物７を噛みこんだときの、第一の異物噛み状態の一例を示したもので、この場合は、除湿運転時に開閉弁６ａが正常に閉まらないため、減圧器６ｂで充分に減圧されない。そのため、第一室内熱交換器５ａの温度Ｔ１と第二室内熱交換器５ｂの温度Ｔ２との温度差が正常時よりも小さくなる。
【００１８】
そこで、温度Ｔ１と温度Ｔ２の温度差が所定値（例えば、５Ｋ）よりも小さければ、除湿用減圧器６の異常として一旦圧縮機１を停止した後、四方弁２を切り換えて暖房サイクルにて所定時間運転を行う。これにより、除湿用減圧器６に逆向きの冷媒流れが発生して異物７を流し去り、開閉弁６ａが正常に閉まるようになる。
【００１９】
そして、暖房サイクルにて所定時間運転した後は、元の除湿運転に戻すことにより、除湿運転を正常に行うことができる。
【００２０】
図４は、開閉弁６ａが固着状態の一例を示すもので、このような場合は、冷房運転時に減圧器６ｂで減圧されるため、第一室内熱交換器５ａの温度Ｔ１と第二室内熱交換器５ｂの温度Ｔ２の温度差が正常時よりも大きくなる。
【００２１】
そこで、温度Ｔ１と温度Ｔ２の温度差が所定値（例えば、５Ｋ）よりも大きければ、除湿用減圧器６の異常として、一旦圧縮機１を停止した後、四方弁２を切り換えて暖房サイクルにて所定時間運転を行う。これにより除湿用減圧器６に逆向きの冷媒流れが発生して固着した弁体８を開放させることができる。暖房サイクルにて所定時間運転した後は、元の冷房運転に戻すことにより、冷房運転を正常に行うことができる。
【００２２】
次に、図５は、開閉弁６ａ内に異物７を噛み込んだときの第二の異物噛み状態の一例を示すもので、このような場合は、開閉弁６ａの流量が小さくなり減圧器６ｂで減圧されるため、温度Ｔ１と温度Ｔ２の温度差が正常時よりも大きくなる。
【００２３】
そこで、温度Ｔ１と温度Ｔ２の温度差が所定値（例えば５Ｋ）よりも大きければ、除湿用減圧器６の異常として、一旦圧縮機１を停止した後、四方弁２を切り換えて冷房サイクルにて所定時間運転を行う。
【００２４】
これにより除湿用減圧器６に逆向きの冷媒流れが発生して異物７を流し去り、開閉弁６ａの流量を回復させることができる。冷房サイクルにて、所定時間運転した後は、元の暖房運転に戻すことにより、暖房運転を正常に行うことができる。
【００２５】
図６は、本実施の形態における空気調和機の運転制御の内容を示すフローチャートであるが、冷房などの運転を開始すると、除湿用減圧器６の異常を判定する。もし異常を検知すると、一旦圧縮機１の運転を停止した後、逆サイクルの運転を所定時間行い、その後元の運転に復帰する。しかしながら前記逆サイクル運転を所定回数おこなっても異常を検知するようであれば、復旧できない重度の異常と判断し、全ての運転を完全に停止するようにする。
【００２６】
以上のように、本実施の形態においては、運転中に除湿用減圧器６の異常を検知した時に、自動的に逆向きの冷凍サイクル運転を行うことにより、開閉弁６ａや減圧器６ｂへの異物噛みやオイルによる開閉弁６ａの一時的な固着といった軽微な異常を自動的に復旧させることができ、無駄な部品交換や商品交換をすることなく、空気調和機の信頼性を高めることができる。
【００２７】
なお、本実施の形態においては除湿用減圧器６は、開閉弁６ａと減圧器６ｂが並列に並べられているが、開閉弁６ａと減圧器６ｂが一体となったタイプの除湿用減圧器６においても同様の効果が得られることは、言うまでもない。
【産業上の利用可能性】
【００２８】
以上のように、本発明の空気調和機は、軽微な異物噛みや一時的な固着といった軽微な異常を自動的に復旧させることができるもので、家庭用、業務用の各種空気調和機に適用
できる。
【図面の簡単な説明】
【００２９】
【図１】本発明の実施の形態１における空気調和機の冷凍サイクル図
【図２】同空気調和機の四方弁と開閉弁の切り換えを示す説明図
【図３】同開閉弁の第一の異物噛み状態の一例を示す図
【図４】同開閉弁の固着状態の一例を示す図
【図５】同開閉弁の第二の異物噛み状態の一例を示す図
【図６】同空気調和機の運転制御の内容を示すフローチャート
【符号の説明】
【００３０】
１  圧縮機
２  四方弁
３  室外熱交換器
５ａ  第一室内熱交換器
５ｂ  第二室内熱交換器
６  除湿用減圧器
６ａ  開閉弁
６ｂ  減圧器
１１ａ、１１ｂ  温度センサ
【図１】
2008196726.tif 000003
【図２】
2008196726.tif 000004
【図３】
2008196726.tif 000005
【図４】
2008196726.tif 000006
【図５】
2008196726.tif 000007
【図６】
2008196726.tif 000008